【手続補正書】
【提出日】平成15年11月7日(2003.11.7)
【手続補正１】
【補正対象書類名】明細書
【補正対象項目名】特許請求の範囲
【補正方法】変更
【補正の内容】
【特許請求の範囲】
【請求項１】
輸送手段に設置される端末装置と、前記端末装置に広告情報を配信する配信装置とがネットワークを介して接続されるネットワーク広告システムであって、
前記端末装置は、前記配信装置から配信される広告情報を乗客の目的地情報に応じて閲覧できるように表示する表示手段と、前記乗客が前記広告情報を閲覧した場合は前記広告情報の閲覧に伴う運賃特典を前記表示手段に表示させる制御手段とを具備し、
前記配信装置は、複数の広告情報を記憶する広告情報記憶手段と、前記乗客の目的地情報に応じた広告情報を前記広告情報記憶手段から読み出して前記端末装置に配信する配信手段と、
を具備したことを特徴とするネットワーク広告システム。
【請求項２】
広告情報を表示する表示手段を備え且つ輸送手段に設置された端末装置にネットワークを介して接続され、前記端末装置に広告情報を配信する配信装置であって、
複数の広告情報を記憶する広告情報記憶手段と、
広告情報の配信に基づく広告配信料金を広告情報毎に記憶する配信料金記憶手段と、
前記端末装置からの要求に応じて、乗客に応じた広告情報を前記広告情報記憶手段から読み出して前記端末装置に配信する配信手段と、
前記広告情報の配信に応じて前記配信料金記憶手段に記憶された前記広告配信料金を加算更新する更新手段と、
を具備したことを特徴とする配信装置。
【請求項３】
前記広告情報記憶手段は、前記広告情報と、前記広告情報よりも詳しい内容を表す詳細広告情報とを記憶し、
前記配信料金記憶手段は、前記広告情報に対する広告配信料金と、前記広告情報よりも詳しい内容を表す詳細広告情報に対する詳細広告配信料金とを広告情報毎に記憶し、
前記配信手段は、前記広告情報及び前記詳細広告情報を前記広告情報記憶手段から読み出して前記端末装置に配信し、
前記更新手段は、前記端末装置から送信される広告閲覧情報に応じて前記配信料金記憶手段に記憶された前記広告配信料金あるいは前記詳細広告配信料金を加算更新することを特徴とする請求項２記載の配信装置。
【請求項４】
輸送手段に設置され、乗客に応じた広告情報を配信する配信装置にネットワークを介して接続される端末装置であって、
前記乗客に応じた広告情報を前記配信装置に要求し、前記配信装置から配信される広告情報を受信する通信手段と、
前記通信手段により受信された前記広告情報を前記乗客が閲覧できるように表示する表示手段と、
前記乗客の広告閲覧状況に応じて前記広告情報の閲覧に伴う運賃特典を前記表示手段に表示させる制御手段と、
を具備したことを特徴とする端末装置。
【請求項５】
前記広告情報は前記乗客の目的地に応じた広告情報であり、前記制御手段は前記乗客が前記広告情報を所定時間閲覧した場合に前記広告情報の閲覧に伴う運賃特典を前記表示手段に表示させることを特徴とする請求項４記載の端末装置。
【請求項６】
前記制御手段は前記広告情報よりも詳しい内容を表す詳細広告情報を前記乗客が閲覧した場合に前記広告情報の閲覧に伴う運賃特典を前記表示手段に表示させることを特徴とする請求項４記載の端末装置。
【請求項７】
前記制御手段は運賃精算の際に乗車運賃から前記広告情報の閲覧に伴う運賃特典を割り引いた計算結果を前記表示手段に表示させることを特徴とする請求項４記載の端末装置。
【請求項８】
広告情報を表示する表示手段を備え且つ輸送手段に設置される端末装置にネットワークを介して接続される配信装置を制御するためのコンピュータが実行可能なプログラムを格納した記録媒体であって、
複数の広告情報を広告情報記憶手段に記憶させるためのプログラムコードと、
広告情報の配信に基づく広告配信料金を広告情報毎に配信料金記憶手段に記憶させるためのプログラムコードと、
前記端末装置からの要求に応じて、乗客に応じた広告情報を広告情報記憶手段から読み出して前記端末装置に配信させるためのプログラムコードと、
前記広告情報の配信に応じて前記配信料金記憶手段に記憶された前記広告配信料金を加算更新させるためのプログラムコードと、
を含むプログラムを格納したことを特徴とする記録媒体。
【手続補正２】
【補正対象書類名】明細書
【補正対象項目名】０００１
【補正方法】変更
【補正の内容】
【０００１】
【発明の属する技術分野】
本発明は、タクシー，列車，航空機等の輸送手段に設置される端末装置と、前記端末装置に広告情報を配信する配信装置とがネットワークを介して接続されるネットワーク広告システム，配信装置，端末装置及び記録媒体に関する。


【手続補正３】
【補正対象書類名】明細書
【補正対象項目名】０００７
【補正方法】変更
【補正の内容】
【０００７】
【課題を解決するための手段】
請求項１記載の発明は、輸送手段に設置される端末装置と、前記端末装置に広告情報を配信する配信装置とがネットワークを介して接続されるネットワーク広告システムであって、前記端末装置は、前記配信装置から配信される広告情報を乗客の目的地情報に応じて閲覧できるように表示する表示手段と、前記乗客が前記広告情報を閲覧した場合は前記広告情報の閲覧に伴う運賃特典を前記表示手段に表示させる制御手段とを具備し、前記配信装置は、複数の広告情報を記憶する広告情報記憶手段と、前記乗客の目的地情報に応じた広告情報を前記広告情報記憶手段から読み出して前記端末装置に配信する配信手段と、を具備したことを特徴とする。


【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項２記載の発明は、広告情報を表示する表示手段を備え且つ輸送手段に設置された端末装置にネットワークを介して接続され、前記端末装置に広告情報を配信する配信装置であって、複数の広告情報を記憶する広告情報記憶手段と、広告情報の配信に基づく広告配信料金を広告情報毎に記憶する配信料金記憶手段と、前記端末装置からの要求に応じて、乗客に応じた広告情報を前記広告情報記憶手段から読み出して前記端末装置に配信する配信手段と、前記広告情報の配信に応じて前記配信料金記憶手段に記憶された前記広告配信料金を加算更新する更新手段と、を具備したことを特徴とする。
また、コンピュータに対して、上述した各機能を実行させるためのコンピュータが実行可能なプログラムを夫々格納した記録媒体を提供するものである。


【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項４記載の発明は、輸送手段に設置され、乗客に応じた広告情報を配信する配信装置にネットワークを介して接続される端末装置であって、前記乗客に応じた広告情報を前記配信装置に要求し、前記配信装置から配信される広告情報を受信する通信手段と、前記通信手段により受信された前記広告情報を前記乗客が閲覧できるように表示する表示手段と、前記乗客の広告閲覧状況に応じて前記広告情報の閲覧に伴う運賃特典を前記表示手段に表示させる制御手段と、を具備したことを特徴とする。


【手続補正１１】
【補正対象書類名】明細書
【補正対象項目名】００１５
【補正方法】削除
【補正の内容】
【手続補正１２】
【補正対象書類名】明細書
【補正対象項目名】００８１
【補正方法】変更
【補正の内容】
【００８１】
【発明の効果】
請求項１記載の発明のネットワーク広告システムによれば、端末装置に表示された広告情報を乗客が閲覧すると、乗客は広告情報の閲覧に伴う運賃特典を得ることができると共に、それによって輸送会社は乗客からの好評を得て、リピーターとなる乗客を確保でき、更には新規の乗客を得ることができるので、乗客及び輸送会社の両方に利益になる。


【手続補正１３】
【補正対象書類名】明細書
【補正対象項目名】００８２
【補正方法】削除
【補正の内容】
【手続補正１４】
【補正対象書類名】明細書
【補正対象項目名】００８３
【補正方法】変更
【補正の内容】
【００８３】
請求項２記載の発明の配信装置及び請求項８記載の発明の記録媒体によれば、端末装置からの要求に応じて、乗客に応じた広告情報を端末装置に配信し、広告情報の配信に応じて広告配信料金を加算更新するので、乗客は輸送手段の乗車中に端末装置に表示される広告情報によって最新情報を得ることができると共に、輸送会社は広告スポンサから広告配信に伴う広告収入を得ることができるので、輸送会社及び乗客の両方に利益になる。


【手続補正１５】
【補正対象書類名】明細書
【補正対象項目名】００８４
【補正方法】変更
【補正の内容】
【００８４】
請求項４記載の発明の端末装置によれば、表示される広告情報を乗客が閲覧すると、運賃精算の際は広告閲覧に伴う運賃特典が表示されるので、乗客は所定の運賃から広告閲覧に伴う運賃特典が割り引かれた安い運賃で輸送手段を利用することができると共に、それによって輸送会社は乗客からの好評を得て、リピーターとなる乗客を確保でき、更には新規の乗客を得ることができるので、乗客及び輸送会社の両方に利益になる。